(57)【要約】      （修正有）【課題】ユーザの任意操作により芳香度合の調整が可能であり、かつ使用時に芳香液が外部に付着することを防ぐことのできる芳香剤容器を提供する。【解決手段】開口部１２ａを有し、内部に芳香液を貯留する容器本体１２と、定常位置を基点として、開口部１２ａから前記内部へ下端側の一部を挿入可能な可動部１４と、可動部１４に配置され、可動部１４の一部が容器本体１２に貯留された芳香液に挿入されることで、芳香液を含浸する含浸材２０と、容器本体１２の外部に配置され、可動部１４を定常位置に維持する力を生じさせる反力発生部２２と、を備え、可動部１４の端部には、可動部１４が定常位置にある場合に、開口部１２ａを閉塞する蓋部１６ｂが設けられていることを特徴とする。【選択図】図２
0003232017.tif 000002
【実用新案登録請求の範囲】
【請求項１】
上部開口部を有し、内部に芳香液を貯留する容器本体と、
定常位置を基点として、前記容器本体に対する相対的な位置変化を可能とし、前記位置変化に伴い、前記上部開口部から前記内部へ下端側の一部を挿入可能な可動部と、
前記可動部に配置され、前記可動部の一部が前記容器本体に貯留された前記芳香液に挿入されることで、前記芳香液を含浸する含浸材と、
前記容器本体の外部に配置され、前記容器本体及び前記可動部のいずれにも両者を近接させる方向への負荷が無い場合に、前記可動部を前記定常位置に維持する力を生じさせる反力発生部と、を備え、
前記可動部の端部には、前記可動部が前記定常位置にある場合に、前記上部開口部を閉塞する蓋部が設けられていることを特徴とする芳香剤容器。
【請求項２】
前記可動部の稼働領域を覆うと共に、周囲に放散口を有する保護カバーを備えたことを特徴とする請求項１に記載の芳香剤容器。
【請求項３】
送風装置に対する取付手段を備えたことを特徴とする請求項１または２に記載の芳香剤容器。
【請求項４】
前記含浸材は、第１部材と第２部材の組合わせにより構成され、
前記第１部材は、前記第２部材に比べて前記芳香液の担持性が高く、吸収速度が遅い部材であり、
前記第２部材は、前記第１部材に比べて前記芳香液の吸収速度が速く、担持性が低い部材であることを特徴とする請求項１乃至３のいずれか１項に記載の芳香剤容器。
【請求項５】
前記含浸材は、保水性繊維により構成されることを特徴とする請求項１乃至３のいずれか１項に記載の芳香剤容器。
【考案の詳細な説明】
【技術分野】
【０００１】
本考案は、芳香剤容器に係り、特に芳香度合の調整を行う場合に好適な芳香剤容器に関する。
【背景技術】
【０００２】
芳香剤の芳香度合は、芳香剤の放散性の多寡に起因する。また、芳香剤の放散性は、芳香液の濃度や、含浸材への含浸度合、含浸材の形状などによっても変化する。こうした芳香剤の芳香度合を変化させる機能を有する芳香剤容器として、特許文献１や特許文献２に開示されているものが知られている。
【０００３】
特許文献１には、芳香液を貯留した容器本体に棒状の含浸材を挿入し、含浸材に芳香液を含浸させると共に、これをカム機構により上下させつつ送風装置により含浸材に風を当てるという機構を備えた芳香剤容器が開示されている。このような構成の芳香剤容器によれば、含浸材の引き出し具合や、風の当たり具合によって、芳香の度合を変化させることができる。
【０００４】
また、特許文献２には、芳香液を貯留した貯液体と、貯液体に付勢可能な可動体を備え、貯液体と可動体との間に、可動体を付勢させることで開放される蓋体を備えた開口部を有する芳香剤容器が開示されている。ここで、可動体には、芳香液を含浸する含浸材が備えられ、可動体を貯液体側へ付勢させることで、貯液体に貯留された芳香液が含浸材に吸収されるという構成が採られている。このような構成の芳香剤容器では、含浸材に芳香液を含浸させる量を変化させることにより、芳香の度合が変化する。
【先行技術文献】
【特許文献】
【０００５】
【特許文献１】特開平１０−２０７４５４号公報
【特許文献２】特開２０００−３０８６７９号公報
【考案の概要】
【考案が解決しようとする課題】
【０００６】
上記特許文献に開示されている芳香剤容器によれば、確かに芳香の度合を変化させることができる。しかし、特許文献１に開示されている芳香剤容器では、オルゴール等の稼働に起因したカム機構により、含浸材の引き抜き具合を変化させている。このため、ユーザが自己の判断により自由に調整することができないという問題がある。
【０００７】
また、特許文献２に開示されている芳香剤容器は、可動体を付勢させた状態で、芳香液を可動体に配置された含浸材に流し込む（染み込ませる）ことで、芳香度合を調整する。このため、含浸材が飽和状態となった場合、容器から含浸材が漏れ出して、皮膚や衣服に付着する虞がある。また、付勢させた可動体を戻すためのばねが、常に芳香液に浸かった状態とされるため、腐食による可動動作の不具合や、芳香液の成分が変化するといった虞もあるという問題がある。
【０００８】
そこで本考案では、上記問題を解決し、ユーザの任意操作により芳香度合の調整が可能であり、かつ使用時に芳香液が外部に付着することを防ぐことのできる芳香剤容器を提供することを目的とする。
【課題を解決するための手段】
【０００９】
上記目的を達成するための本考案に係る芳香剤容器は、上部開口部を有し、内部に芳香液を貯留する容器本体と、定常位置を基点として、前記容器本体に対する相対的な位置変化を可能とし、前記位置変化に伴い、前記上部開口部から前記内部へ下端側の一部を挿入可能な可動部と、前記可動部に配置され、前記可動部の一部が前記容器本体に貯留された前記芳香液に挿入されることで、前記芳香液を含浸する含浸材と、前記容器本体の外部に配置され、前記容器本体及び前記可動部のいずれにも両者を近接させる方向への負荷が無い場合に、前記可動部を前記定常位置に維持する力を生じさせる反力発生部と、を備え、前記可動部の端部には、前記可動部が前記定常位置にある場合に、前記上部開口部を閉塞する蓋部が設けられていることを特徴とする。
【００１０】
また、上記のような特徴を有する芳香剤容器には、前記可動部の稼働領域を覆うと共に、周囲に放散口を有する保護カバーを備えるようにすると良い。このような特徴を有することによれば、芳香剤容器を操作した際ユーザが、可動部の稼働領域に付着した芳香液や、可動部に配置された含浸材に触れることを防ぐことができる。
【００１１】
また、上記のような特徴を有する芳香剤容器は、送風装置に対する取付手段を備えるようにしても良い。このような特徴を有することによれば、含浸材からの芳香液の揮発作用を、送風による強制放散とすることができる。このため、芳香液の濃度を高め、平常時における揮発を抑え、芳香剤としての利用可能期間を延ばすことが可能となる。
【００１２】
さらに、上記のような特徴を有する芳香剤容器において前記含浸材は、第１部材と第２部材の組合わせにより構成され、前記第１部材は、前記第２部材に比べて前記芳香液の担持性が高く、吸収速度が遅い部材であり、前記第２部材は、前記第１部材に比べて前記芳香液の吸収速度が速く、担持性が低い部材とすることが望ましい。このような特徴を有することによれば、含浸材を安価な汎用材料で構成する場合であっても、芳香液の急速吸収と、長時間保持といった二つの効果を得ることが可能となる。
【００１３】
さらにまた、上記のような特徴を有する芳香剤容器において前記含浸材は、保水性繊維により構成することもできる。このような特徴を有する事によれば、一般材料として知られているポリエステル系素材やコットン系素材を含浸材として利用することができる。
【考案の効果】
【００１４】
上記のような特徴を有する芳香剤容器によれば、ユーザの任意操作により芳香度合の調整を行うことができる。また、使用時に芳香液が外部に付着することを防ぐこともでき、構成部材が芳香液により腐食する虞もない。
【図面の簡単な説明】
【００１５】
【図１】第１実施形態に係る芳香剤容器の外観構成を示す正面図である。
【図２】第１実施形態に係る芳香剤容器の断面構成を示す図である。
【図３】第１実施形態に係る芳香剤容器の分解図である。
【図４】第１実施形態に係る芳香剤容器において可動部を押下した状態の断面構成を示す図である。
【図５】第１実施形態に係る芳香剤容器を送風装置に取り付けて使用する場合の形態を示す図である。
【図６】実施形態に係る含浸材の構成を示す分解斜視図である。
【図７】第２実施形態に係る芳香剤容器の外観構成を示す正面図である。
【図８】第２実施形態に係る芳香剤容器の断面構成を示す図である。
【図９】第２実施形態に係る芳香剤容器の分解図である。
【図１０】第２実施形態に係る芳香剤容器を送風装置に取り付けて使用する場合の形態を示す図である。
【考案を実施するための形態】
【００１６】
以下、本発明の芳香剤容器に係る実施の形態について、図面を参照して詳細に説明する。なお、以下に示す実施の形態は、本考案を実施する上での好適な形態の一部に過ぎない。よって、その効果を奏する範囲において、形態の変更を行ったとしても、本考案の一部とみなすことができる。
【００１７】
［第１実施形態］
まず、図１から図４を参照して、第１実施形態に係る芳香剤容器について説明する。なお、図面において、図１は、第１実施形態に係る芳香剤容器の外観構成を示す正面図であり、図２は、断面構成を示す図である。また、図３は、第１実施形態に係る芳香剤容器の分解図である。さらに、図４は、第１実施形態に係る芳香剤容器において可動部を押下した状態の断面構成を示す図である。本実施形態に係る芳香剤容器１０は、容器本体１２と、可動部１４、含浸材２０、及び反力発生部２２を備えることを基本として構成する。
【００１８】
容器本体１２は、内部に芳香液を貯留する役割を担う要素である。容器本体１２のサイズは、芳香剤としての使用目的や、使用場所により、適宜定めるようにすれば良い。容器本体１２の基本的な形態は、上部に開口部１２ａ（図２、図３等参照）を有する、いわゆるボトル型であれば良い。
【００１９】
可動部１４は、詳細を後述する含浸材２０を保持すると共に、容器本体１２に対する相対的な位置変化を可能とする要素であり、この位置変化に伴い、容器本体１２に対してその一部を挿入し、含浸材２０に芳香液を含浸させることができる。可動部１４は、挿入部１６と、接触部１８とを有する。
【００２０】
挿入部１６は、含浸材２０を保持する部位であり、定常位置からの位置変化に伴い、少なくとも一部が、容器本体１２の開口部１２ａから容器本体１２の内部へと挿入される。容器本体１２の内部に挿入された挿入部１６の一部が容器本体１２の内部に貯留された芳香液に潜り込むことで、挿入部１６に保持された含浸材２０に対する芳香液の含浸が成される。挿入部１６の具体的な形態は、限定するものでは無いが、少なくとも、含浸材保持部１６ａと、蓋部１６ｂを有する構成とする。含浸材保持部１６ａは、含浸材２０を保持するための部位であり、図２に示す形態では、上端部と蓋部１６ｂとの間に配置された一対のガイド１６ａ１の間に形成された空間を含浸材保持部１６ａとしている。蓋部１６ｂは、挿入部１６を容器本体１２に貯留された芳香液から引き揚げた際、すなわち可動部１４が定常位置にある場合に、容器本体１２の開口部１２ａを閉塞する役割を担う要素である。このため、蓋部１６ｂの平面形状は、図３にＡ−Ａ端面、Ｂ−Ｂ端面として示すように、容器本体１２における開口部１２ａの平面形状と一致させ、かつ開口部１２ａよりも僅かに小さくなるように構成している。開口部１２ａを閉塞する蓋部１６ｂを備える事で、可動部１４が定常位置にある場合に、芳香液の揮発を抑制することができる。よって、芳香剤としての使用可能期間を長期化することができる。
【００２１】
接触部１８は、挿入部１６を保持すると共に、ユーザが直接触れる部位である。本実施形態に係る芳香剤容器１０は、ユーザによる操作を伴うことで、芳香液の芳香度合を調整可能な構成としている。このため、芳香液に直接触れることとなる挿入部１６と別に、芳香液に触れることの無い接触部１８を備え、この接触部１８により挿入部１６を保持する構成とすることで、ユーザが芳香剤容器１０を操作した際、ユーザの皮膚や衣服に芳香液が付着する可能性を低くすることができる。本実施形態における接触部１８は、円柱状のボタン型としている。このような構成の可動部１４では、ユーザが接触部１８を押下することで、図４に示すように、可動部１４が容器本体１２に近接することとなり、挿入部１６が容器本体１２の内部に挿入され、挿入部１６に保持された含浸材２０に芳香液を含浸
させることができる。
【００２２】
含浸材２０は、芳香液を吸収すると共に担持し、揮発による芳香液放散の促進を図るための要素である。本実施形態に係る芳香剤容器１０の含浸材２０は、図６に示すように、第１部材２０ａと第２部材２０ｂの組合せにより構成されており、第１部材２０ａと第２部材２０ｂには、それぞれ次のような特性を持つものが選定される。すなわち、第１部材２０ａには、第２部材２０ｂに比べて芳香液の担持性が高く、吸収速度が遅い部材を選定すると良く、第２部材２０ｂには、第１部材２０ａに比べて芳香液の吸収速度が速く、担持性が低い部材を選定する。本実施形態では、例えば図６に示すように、第１部材２０ａを第２部材２０ｂで挟み込むようにして、含浸材２０を構成している。
【００２３】
このような構成とすることで、含浸材２０を芳香液に浸けた際、第２部材２０ｂにより短時間で芳香液を吸収することができる。また、含浸材２０を芳香液から引き揚げた後には、芳香液が第２部材２０ｂから第１部材２０ａに浸透すると共に、重力により第２部材２０ｂの下方に集中する芳香液を第１部材２０ａが吸収し、比較的長い時間芳香液が担持されることとなる。よって、芳香液の急速吸収と、長時間保持といった二つの効果を得ることが可能となる。
【００２４】
なお、本実施形態では、汎用品の利用を図ることで、芳香剤容器１０の製造コストを抑えることを目的として、含浸材２０について、第１部材２０ａと第２部材２０ｂを組み合わせて構成する旨説明した。しかしながら、上記のような芳香液の急速吸収と、長時間保持という２つの特性を併せ持つ素材がある場合には、当該素材を単体で、含浸材２０としても良い。また、当然に、含浸材２０として、一般的な保水性繊維を採用することもできる。保水性繊維としては、ポリエステル系の素材であるフェルトや不織布、吸水紙等の他、コットン系の素材である木綿紐（布）等を挙げることができる。
【００２５】
反力発生部２２は、容器本体１２や、可動部１４のいずれにも、両者を近接させる方向への負荷が掛けられていない場合に、可動部１４を定常位置に維持する力を生じさせる要素である。本実施形態の場合、ユーザにより接触部１８が押下され、挿入部１６が容器本体１２に挿入された可動部１４を押し戻し、挿入部１６を芳香液から引き揚げた状態を維持する要素となる。具体的には、コイルばねであれば良く、本実施形態では、容器本体１２に螺合する貫通部材であるキャップ２４と、可動部１４における接触部１８との間に配置されている。このような配置構成とすることで、接触部１８が押下された後、可動部１４を定常位置に復帰させることが可能となる。なお、可動部１４の定常位置とは、挿入部１６における蓋部１６ｂが、容器本体１２における開口部１２ａを閉塞する位置（高さ）である。
【００２６】
このような基本構成を有する本実施形態に係る芳香剤容器１０では、キャップ２４と可動部１４における接触部１８との間に保護カバー２６を備える構成としている。保護カバー２６には、その側壁に、スリット状の放散口２６ａが設けられ、含浸材２０から揮発した芳香が周囲に放散されるように構成されている。また、保護カバー２６の下部は、キャップ２４に締結固定可能な構造（例えば爪による係止）とされ、保護カバー２６の上部は、接触部１８の下端に形成されたフランジ１８ａと係合可能な構造とされている。このような構成とすることで、反力発生部２２の作用により、可動部１４が定常位置よりも上側に押し上げられてしまうことを防ぐことができる。
【００２７】
また、保護カバー２６は、可動部１４の稼働領域に位置する挿入部１６の周囲を覆う構成とされている。このため、ユーザが、挿入部１６に付着した芳香液や、挿入部１６に配置された含浸材２０に触れる事を防ぐことができる。
【００２８】
［使用形態］
上記のような構成の芳香剤容器１０は、容器本体１２に芳香液を充填することで芳香剤としての使用が成される。ユーザは、芳香液が充填された芳香剤容器１０における可動部１４の接触部１８を押下することで、可動部１４の挿入部１６を容器本体１２に貯留された芳香液に浸け、挿入部１６に保持されている含浸材２０に芳香液を含浸させる。
【００２９】
この時、ユーザが接触部１８を押下している時間は、含浸材２０に対する芳香液の含浸量の多寡に影響する。すなわち、ある一定の時間範囲においては、押下に要する時間が長いほど、含浸材２０に対する芳香液の含浸量が多くなり、強い香りを放散させることができる。
【００３０】
［作用、効果］
このような構成の芳香剤容器１０によれば、ユーザの任意操作により芳香度合の調整が可能となる。また、ユーザが直接触れる場所には芳香液が付着する虞がなく、かつ可動部１４の稼働領域には保護カバー２６が備えられている。このため、使用時に芳香液がユーザの皮膚や衣服、その他の部位に付着することを防ぐことができる。
【００３１】
また、上記のような構成の芳香剤容器１０では、反力発生部２２であるコイルばねはもちろん、挿入部１６と含浸材２０以外の部材が芳香液に触れることがない。さらに、可動部１４が定常位置にある場合には、常時芳香液に触れている部材も存在しないため、接触部材の腐食等により、芳香液の成分が変化するといった虞もない。
【００３２】
［応用形態］
ここで、上記のような構成の芳香剤容器１０をエアコンや、扇風機等の送風装置（不図示）における吹き出し口や前面カバーに取り付けた状態で使用したい場合には、図５に示すような取付手段２８を備えるようにすると良い。図５に示す取付手段２８は、車両用エアコンの吹き出し口に備えられるルーバー（不図示）に対応した構造であり、取付部２８ａと、保持部２８ｂとから成る。取付部２８ａは、ルーバーを上下方向から挟持するための部位である。また、保持部２８ｂは、芳香剤容器１０を保持するための部位であり、図５に示す形態では、容器本体１２のボトル部分とキャップ２４との隙間に係合するように設けられている。
【００３３】
このように送風手段に取り付けた状態で芳香剤容器１０を使用する場合、芳香作用は、芳香液を含浸させた含浸材２０に対して風を当てる事による強制放散とすることができる。こうした場合、容器本体１２に充填する芳香液は、揮発成分の少ないもの、すなわち芳香成分の濃度が濃いものを採用することができる。これにより、不使用時における芳香液の揮発を防ぐことができ、芳香剤としての使用期間を長期化することができる。
【００３４】
［第２実施形態］
次に、図７から図９を参照して第２実施形態に係る芳香剤容器について説明する。なお、図面において、図７は、第２実施形態に係る芳香剤容器の外観構成を示す正面図である。また、図８は、第２実施形態に係る芳香剤容器の断面構成を示す図である。さらに、図９は、第２実施形態に係る芳香剤容器の分解図である。
【００３５】
本実施形態に係る芳香剤容器１０Ａも、その基本とする構成、すなわち、容器本体１２と、可動部１４、含浸材２０、及び反力発生部２２を備えることは、上述した第１実施形態に係る芳香剤容器１０と同様である。よって、その機能を同一とする箇所には、図面に同一符号を附して、詳細な説明は省略することとする。
【００３６】
本実施形態に係る芳香剤容器１０Ａは、第１実施形態に係る芳香剤容器と比較した場合
、可動部１４の形態が異なる。具体的には、可動部１４における接触部１８を、第１実施形態における保護カバー２６と一体物として動作するように構成している。そして、保護カバー２６の内径を容器本体１２の外形よりも大きく形成することで、保護カバー２６ごと、容器本体１２側へ押下することを可能な構成としている。
【００３７】
［作用、効果］
可動部１４を保護カバー２６ごと押下した場合であっても、第１実施形態に係る芳香剤容器１０と同様に、含浸材２０に芳香液を含浸させ、芳香度合の調整を行うことができる。
【００３８】
［応用形態］
このような構成の芳香剤容器１０Ａでは、芳香剤容器１０Ａを送風装置等に取り付ける場合、図１０に示すように、保護カバー２６に取付手段２８を備える構成とすることができる。保護カバー２６に取付手段２８を設け、送風装置に取り付けた場合、可動部１４と一体に動作する保護カバー２６は、送風装置に固定された状態となる。このため、ユーザによる芳香剤容器１０Ａの操作は、可動部１４を押えつつ、容器本体１２を下方から押し上げる動作となる。このような操作を行うことで、可動部を構成する挿入部１６は、可動部１４を押下した場合と同様に、容器本体１２の内部に挿入されることとなる。よって、含浸材２０に芳香液を含浸させることができ、上述した第１実施形態に係る芳香剤容器１０と同様な効果を奏することができる。
【００３９】
なお、保護カバー２６に取付手段２８を備える構成とする場合、重さによる取付状態の傾きを防ぐため、突き当て部２６ｂを設けるようにすると良い。突き当て部２６ｂをエアコンの吹き出し口の周囲や前面カバーの一部などに突き当てることで、取付手段２８に対する負荷重量の分散が図られ、取付状態の傾きを防ぐことができるからである。
【符号の説明】
【００４０】
１０，１０Ａ………芳香剤容器、１２………容器本体、１２ａ………開口部、１４………可動部、１６………挿入部、１６ａ………含浸材保持部、１６ａ１………ガイド、１６ｂ………蓋部、１８………接触部、１８ａ………フランジ、２０………含浸材、２０ａ………第１部材、２０ｂ………第２部材、２２………反力発生部、２４………キャップ、２６………保護カバー、２６ａ………放散口、２６ｂ………突き当て部、２８………取付手段、２８ａ………取付部、２８ｂ………保持部。
【図１】
0003232017.tif 000003
【図２】
0003232017.tif 000004
【図３】
0003232017.tif 000005
【図４】
0003232017.tif 000006
【図５】
0003232017.tif 000007
【図６】
0003232017.tif 000008
【図７】
0003232017.tif 000009
【図８】
0003232017.tif 000010
【図９】
0003232017.tif 000011
【図１０】
0003232017.tif 000012